(57)【要約】【課題】通常のウエハを収容するウエハキャリアに通常より薄い薄膜ウエハを収容した場合でも、ウエハの洗浄処理中にウエハ同士が接触するのを回避でき、しかも、ウエハキャリア内でのウエハの配置間隔を広げたり、ウエハキャリアを洗浄槽内で傾けて配置したりする必要のない洗浄装置を実現する。【解決手段】ウエハキャリア１２０と、洗浄液の洗浄槽１０２を含む洗浄装置本体１００ａとを備え、ウエハキャリア１２０を複数のウエハＷとともに洗浄槽１０２の洗浄液Ｌに浸漬した状態でウエハＷを洗浄する洗浄装置１００において、洗浄槽１０２の底部に配置された整流板１１０を、ウエハキャリア１２０内に収容した複数のウエハＷが全て、洗浄液の液面に対して同じ方向に傾くように、洗浄液ＬをウエハＷの表面に吹き付ける複数の洗浄液噴出し孔１１２を有する構造とした。【選択図】図１
2014017369.tif 000002
【特許請求の範囲】
【請求項１】
複数のウエハを所定の間隔を空けて立てた状態で収容するウエハキャリアと、洗浄液を溜める洗浄槽とを備え、該ウエハキャリアを該複数のウエハとともに該洗浄槽の洗浄液に浸漬した状態で該ウエハを洗浄する洗浄装置であって、
該洗浄槽の底部に配置され、該洗浄液を噴出す洗浄液噴出し孔を形成した整流板を備え、
該整流板は、該ウエハキャリア内に収容した複数のウエハが全て、該洗浄液の液面に対して同じ方向に傾くように、該洗浄液を該ウエハの表面に吹き付ける複数の洗浄液噴出し孔を有する、洗浄装置。
【請求項２】
前記整流板の洗浄液噴出し孔は、
該洗浄液噴出し孔から噴出される洗浄液が前記ウエハの表面に対して斜めに吹き付けられるように、該洗浄液を噴出す角度を該整流板の表面に対して設定したものである、請求項１に記載の洗浄装置。
【請求項３】
前記洗浄液噴出し孔から洗浄液を噴出す角度は、前記洗浄槽内に配置されたウエハ表面に対する法線を含む鉛直面内で鉛直方向に対して５°〜４５°の範囲内の角度である、請求項２に記載の洗浄装置。
【請求項４】
前記整流板では、前記複数のウエハの各々で、前記複数の洗浄液噴出し孔からの洗浄液の液流が２以上の箇所に吹き付けられるように、該複数洗浄液噴出し孔が配列されている、請求項１から請求項３のいずれか１項に記載の洗浄装置。
【請求項５】
前記ウエハキャリアは、
収容される複数のウエハの両側に位置し、該ウエハを挟んで相対向する一対の側壁を有し、
該一対の側壁の下端部は、互いの離間距離が該ウエハの幅より狭くなるように該内側に傾斜した構造となっており、
該複数のウエハは、該一対の側壁の下端部と当接して該ウエハキャリア内に保持されており、
該洗浄液噴出し孔から噴出された液流は、該複数のウエハの各々の、該ウエハキャリアの側壁の下端部と当接する部分より下側の部分に吹き付けられる、請求項４に記載の洗浄装置。
【請求項６】
前記整流板では、前記ウエハキャリア内に収容した複数のウエハの各々に対して、少なくとも１列の洗浄液噴出し孔から噴出された洗浄液の液流が吹き付けられるように、前記複数の洗浄液噴出し孔が、該複数のウエハの配列に合わせて配置されており、
各列の洗浄液噴出し孔の個数は同一である、請求項１に記載の洗浄装置。
【請求項７】
前記ウエハは、厚さが４００μｍ以下の薄膜ウエハである、請求項１に記載の洗浄装置。
【請求項８】
前記洗浄液噴出し孔は、前記整流板を構成する上面壁に斜めに形成した断面円形の貫通孔であり、１ｍｍ〜３ｍｍの範囲の直径を有している、請求項１に記載の洗浄装置。
【請求項９】
前記洗浄液噴出し孔は、前記整流板を構成する上面壁に斜めに形成したスリット状の貫通孔であり、
該スリット状の貫通孔は、前記複数のウエハの各々毎に配置され、該ウエハの表面に沿った方向に延びている、請求項１に記載の洗浄装置。
【請求項１０】
前記洗浄液は薬液あるいは純水である、請求項１に記載の洗浄装置。
【請求項１１】
複数のウエハを所定の間隔を空けて立てた状態で収容したウエハキャリアを、該複数のウエハとともに洗浄槽に満たされた洗浄液に浸漬して該ウエハを洗浄する洗浄方法であって、
該洗浄槽の底部に配置された整流板に形成した洗浄液噴出し孔から洗浄液を、該ウエハキャリア内に収容した複数のウエハが全て該洗浄液の液面に対して同じ方向に傾くように該ウエハの表面に吹き付ける、洗浄方法。
【発明の詳細な説明】
【技術分野】
【０００１】
本発明は、洗浄装置および洗浄方法に関し、特に、複数のウエハをウエハキャリアに収容して洗浄槽の洗浄液に浸漬した状態でこれらのウエハを洗浄する洗浄装置および洗浄方法に関するものである。
【背景技術】
【０００２】
半導体装置の製造プロセスには、種々の処理を施した半導体ウエハ（以下、単にウエハともいう。）を純水又は薬液で洗浄する洗浄工程があり、このような洗浄工程では、複数のウエハを所定の間隔を空けて立てた状態で収容するウエハキャリアと、洗浄液を溜める洗浄槽とを備え、このウエハキャリアを複数のウエハとともに洗浄槽の洗浄液に浸漬した状態でウエハを洗浄する洗浄装置が用いられている。
【０００３】
図９は、従来の洗浄装置を説明する図であり、図９（ａ）および図９（ｂ）はそれぞれ、この洗浄装置の断面構造として、その内部に配置した半導体ウエハの表面に対して垂直な断面および平行な断面の構造を示している。
【０００４】
この洗浄装置３００は、洗浄装置本体３００ａと、この洗浄装置本体３００ａの洗浄槽１０２に配置され、複数のウエハＷａを所定の間隔を空けて立てた状態で収容するウエハキャリア１２０とを有している。
【０００５】
ここで、ウエハキャリア１２０は、外形四角形形状の箱体であり、その上面および下面が開口した構造となっている。このウエハキャリア１２０の、ウエハ配列方向と平行な相対向する一対の側壁１２２は、その下端部１２２ｂが互いの離間距離がウエハＷａの幅より狭くなるように内側に傾斜した構造となっている。なお、図中、１２２ａは、側壁１２２の下端部１２２ｂ以外の側面部であり、対向する一対の側壁の側面部１２２ａは平行になっている。また、１２４は、ウエハキャリア１２０の下端側に形成された開口である。
【０００６】
また、この側壁１２２の側面部１２２ａから下端部１２２ｂに跨って、隣接するウエハＷａを保持するキャリア溝を形成する線状突部（リブ部）１２３が、保持するウエハの厚さに合わせた間隔で、ウエハの配列方向に沿って複数形成されている。
【０００７】
また、ウエハキャリア１２０の、ウエハ配列方向と垂直な相対向する一対の側壁１２１は平板状の構造となっている。
【０００８】
このような構造のウエハキャリア１２０では、図９（ａ）および図９（ｂ）に示すように、ウエハＷａは、隣接するリブ部１２３により形成されるキャリア溝内に挿入され、また、ウエハＷａの下部外周端の一部が、ウエハキャリア１２０の側壁１２２の下端部１２２ｂと当接して保持されることとなる。
【０００９】
また、洗浄装置本体３００ａは、洗浄液Ｌを溜める洗浄槽１０２と、該洗浄槽１０２の底面１０２ａ上に配置され、洗浄液を均等にウエハキャリア１２０内へ供給するための整流板３００と、該洗浄槽１０２の下側に該洗浄槽１０２の下端部を囲むように配置され、洗浄槽１０２の上部開口から溢れた洗浄液を回収する洗浄液回収部材３０１とを有している。
【００１０】
ここで、整流板３００は、複数の貫通孔が洗浄液噴出し孔３１２として形成された整流板上部３１０ａと、この整流板上部３１０ａの各洗浄液噴出し孔３１２に連通した洗浄液収容スペース３１１を形成する整流板下部３１０ｂとから構成されており、この整流板下部３０１ｂには洗浄液の供給配管３０３が取り付けられている。
【００１１】
このような構造の洗浄装置３００では、洗浄装置本体３００ａの洗浄槽１０２内に、ウエハＷａを収容したウエハキャリア１２０をこれが整流板３００上に載置されるように配置し、その後、洗浄槽１０２を洗浄液Ｌで満たし、さらに洗浄液Ｌの流れができるよう洗浄液Ｌを供給配管３０３から洗浄槽１０２内に供給する。なお、洗浄槽から溢れた洗浄液は、洗浄液回収部材３０１により回収して循環させるかあるいは破棄する。
【００１２】
これによりウエハキャリア１２０に収容されたウエハＷａは洗浄液Ｌにより洗浄されることとなる。
【００１３】
ところで、近年、半導体ウエハの薄膜化が進んでおり、厚さ（例えば６２５μｍ）の一般的な半導体ウエハを収容するように設計されたウエハキャリアを、薄膜化されたウエハ（薄膜ウエハ）の洗浄処理などに用いる場合がある。
【００１４】
図１０は、通常のウエハを収容するのに用いるウエハキャリアに通常の半導体ウエハより薄い薄膜ウエハを収容した状態を示している。
【００１５】
図１０から分かるように、通常のウエハＷａ（図９参照）を収容するウエハキャリア１２０に薄膜ウエハＷを収容した場合、隣接するウエハを仕切る線状突部（リブ部）１２３の間隔、言い換えると、隣接するウエハを一定間隔隔てて保持するキャリア溝の幅は、通常のウエハの厚さに応じたものとなっているため、薄膜ウエハＷを収容した場合、通常のウエハＷａ（図９参照）を収容した場合に比べて、線状突部（リブ部）１２３と薄膜ウエハＷとの隙間が大きくなり、薄膜ウエハＷはウエハキャリアに収容された状態で大きく傾くこととなる。
【００１６】
この状態で、図１１（ａ）に示すように、ウエハキャリア１２０を洗浄装置３００の洗浄槽に入れてウエハの洗浄を行うと、隣り合うウエハの先端が接触することなり、ウエハが損傷を受ける。
【００１７】
そこで、図１１（ｂ）に示すように、ウエハの洗浄処理中にウエハ同士が接触するのを避けるために、ウエハキャリア１２０内に薄膜ウエハを収容する際には、薄膜ウエハは、隣接する薄膜ウエハの間隔が広くなるように収容する方法が考えられる。
【００１８】
ところが、この場合、薄膜ウエハはウエハキャリアのキャリア溝毎に収容されるのではなく、一定距離離れた特定のキャリア溝にのみ薄膜ウエハを収容することとなり、この場合、ウエハキャリア１２０のキャリア溝毎にウエハを収容する場合とは異なり、ウエハキャリア１２０へのウエハの収容を自動で行うことができず、人がウエハキャリアへのウエハの収容作業を補助する必要が生ずる。
【００１９】
ところで、特許文献１には、ウエハキャリアをウエハが同じ方向に傾くように傾斜させて洗浄装置の洗浄槽内に配置する方法が開示されている。
【００２０】
図１２は、この特許文献１に開示の洗浄装置を説明する図である。
【００２１】
この特許文献１に開示の洗浄装置は、洗浄液として純水を溜める洗浄槽１と、純水を槽内に導入する供給部２と、洗浄槽１の上部に設けられたオーバーフロー排出口３と、槽内の下側に設置されたパンチング底板４と、槽底に設けられた排出口５と、パンチング底板４上に配置され、半導体ウエハｃを収納しているウエハカセット６を載せる置き台７とを備えている。なお、供給部２には、洗浄槽１の上部一側に沿ってスリット状供給口２ａが形成されており、供給部２に供給された純水はこの供給口２ａから槽内水平方向へ供給される。また、オーバーフロー排出口３には、斜め上側へ傾けた傾斜壁部３ａが形成されており、この傾斜壁部３ａの先端を通じて槽内の過剰水がオーバーフローするようになっている。
【００２２】
ここで、置き台７は、複数枚のウエハｃを収容するウエハカセット６を所定の角度で位置決め保持可能になっている。すなわち、この置き台７は、ウエハカセット６を載置する載置面（保持面）７ａの一方側がその他方側よりも高くなるように、置き台７の底面部を構成する部材の厚さを変化させた構造となっている。このため、多数のウエハｃを収納しているカセット６が洗浄槽１に収容されて置き台７上に載置されると、各ウエハｃはカセット６内で置き台７の保持面７ａの勾配によりウエハ下端を支点として同方向へ傾くこととなる。これにより、全てのウエハｃが平行に並ぶことになり、ウエハの洗浄処理中にウエハ同士が接触するのを回避できる。
【先行技術文献】
【特許文献】
【００２３】
【特許文献１】特開２００１−２８３５６号公報
【発明の概要】
【発明が解決しようとする課題】
【００２４】
以上説明したように、上記従来の洗浄装置では、通常のウエハを収容するウエハキャリア１２０に薄膜ウエハＷを収容してウエハの洗浄を行うと、隣り合うウエハの先端が接触することなり、ウエハが損傷を受けるという問題がある。
【００２５】
また、このようなウエハの接触を避けるために、ウエハキャリア１２０内に薄膜ウエハを収容する際には、薄膜ウエハを、隣接する薄膜ウエハの間隔が広くなるように収容すると、ウエハキャリアへの薄膜ウエハの収容を自動で行うことができず、ウエハキャリアへのウエハの収容作業に人の補助が必要になるという問題がある。
【００２６】
さらに、上記特許文献１に開示の洗浄装置では、ウエハキャリアを洗浄装置の洗浄槽内で、ウエハが同じ方向に傾くように傾斜させて配置しているので、ウエハの洗浄処理中にウエハ同士が接触するのを回避できるが、ウエハキャリアが洗浄槽内で傾斜しているため、洗浄槽内でウエハキャリアが占める領域、言い換えると複数のウエハの占める領域の高さ方向の寸法が大きくなり、洗浄槽内に溜める洗浄液の量が増え、半導体装置の製造コストの増大などにつながるといった問題がある。
【００２７】
本発明は、上記のような問題点を解決するためになされたものであり、通常のウエハを収容するウエハキャリアに通常のウエハより薄いウエハを収容した場合でも、ウエハの洗浄処理中にウエハ同士が接触するのを回避でき、しかも、ウエハキャリア内でのウエハの配置間隔を広げたり、ウエハキャリアを洗浄槽内で傾けて配置したりする必要のない洗浄装置および洗浄方法を得ることを目的とする。
【課題を解決するための手段】
【００２８】
本発明に係る洗浄装置は、複数のウエハを所定の間隔を空けて立てた状態で収容するウエハキャリアと、洗浄液を溜める洗浄槽とを備え、該ウエハキャリアを該複数のウエハとともに該洗浄槽の洗浄液に浸漬した状態で該ウエハを洗浄する洗浄装置であって、該洗浄槽の底部に配置され、該洗浄液を噴出す洗浄液噴出し孔を形成した整流板を備え、該整流板は、該ウエハキャリア内に収容した複数のウエハが全て、該洗浄液の液面に対して同じ方向に傾くように、該洗浄液を該ウエハの表面に吹き付ける複数の洗浄液噴出し孔を有するものであり、そのことにより上記目的が達成される。
【００２９】
本発明は、上記洗浄装置において、前記整流板の洗浄液噴出し孔は、該洗浄液噴出し孔から噴出される洗浄液が前記ウエハの表面に対して斜めに吹き付けられるように、該洗浄液を噴出す角度を該整流板の表面に対して設定したものであることが好ましい。
【００３０】
本発明は、上記洗浄装置において、前記洗浄液噴出し孔から洗浄液を噴出す角度は、前記洗浄槽内に配置されたウエハ表面に対する法線を含む鉛直面内で鉛直方向に対して５°〜４５°の範囲内の角度であることが好ましい。
【００３１】
本発明は、上記洗浄装置において、前記整流板では、前記複数のウエハの各々で、前記複数の洗浄液噴出し孔からの洗浄液の液流が２以上の箇所に吹き付けられるように、該複数の洗浄液噴出し孔が配列されていることが好ましい。
【００３２】
本発明は、上記洗浄装置において、前記ウエハキャリアは、収容される複数のウエハの両側に位置し、該ウエハを挟んで相対向する一対の側壁を有し、該一対の側壁の下端部は、互いの離間距離が該ウエハの幅より狭くなるように該内側に傾斜した構造となっており、該複数のウエハは、該一対の側壁の下端部と当接して該ウエハキャリア内に保持されており、該洗浄液噴出し孔から噴出された液流は、該複数のウエハの各々の、該ウエハキャリアの側壁の下端部と当接する部分より下側の部分に吹き付けられることが好ましい。
【００３３】
本発明は、上記洗浄装置において、前記整流板では、前記ウエハキャリア内に収容した複数のウエハの各々に対して、少なくとも１列の洗浄液噴出し孔から噴出された洗浄液の液流が吹き付けられるように、前記複数の洗浄液噴出し孔が、該複数のウエハの配列に合わせて配置されており、各列の洗浄液噴出し孔の個数は同一であることが好ましい。
【００３４】
本発明は、上記洗浄装置において、前記ウエハは、厚さが４００μｍ以下の薄膜ウエハであることが好ましい。
【００３５】
本発明は、上記洗浄装置において、前記洗浄液噴出し孔は、前記整流板を構成する上面壁に斜めに形成した断面円形の貫通孔であり、１ｍｍ〜３ｍｍの範囲の直径を有していることが好ましい。
【００３６】
本発明は、上記洗浄装置において、前記洗浄液噴出し孔は、前記整流板を構成する上面壁に斜めに形成したスリット状の貫通孔であり、該スリット状の貫通孔は、前記複数のウエハの各々毎に配置され、該ウエハの表面に沿った方向に延びていることが好ましい。
【００３７】
本発明は、上記洗浄装置において、前記洗浄液は薬液あるいは純水であることが好ましい。
【００３８】
本発明に係る洗浄方法は、複数のウエハを所定の間隔を空けて立てた状態で収容したウエハキャリアを、該複数のウエハとともに洗浄槽に満たされた洗浄液に浸漬して該ウエハを洗浄する洗浄方法であって、該洗浄槽の底部に配置された整流板に形成した洗浄液噴出し孔から洗浄液を、該ウエハキャリア内に収容した複数のウエハが全て該洗浄液の液面に対して同じ方向に傾くように該ウエハの表面に吹き付けるものであり、そのことにより上記目的が達成される。
【００３９】
次に作用について説明する。
【００４０】
本発明においては、複数のウエハを収容するウエハキャリアと、洗浄液を溜める洗浄槽とを備えた洗浄装置において、該洗浄槽の底部に配置され、該洗浄液を噴出す洗浄液噴出し孔を形成した整流板を備え、該整流板を、該ウエハキャリア内に収容した複数のウエハが全て、該洗浄液の液面に対して同じ方向に傾くように、該洗浄液を該ウエハの表面に吹き付ける複数の洗浄液噴出し孔を有する構造としたので、ウエハキャリア内のキャリア溝内に保持されているウエハは、その下端部に整流板の洗浄液噴出し孔から噴出された洗浄液の液流が吹き付けられることとなる。これにより薄膜ウエハはすべて洗浄中、自動的にウエハキャリア内で同じ側に傾斜した状態となり、全ての薄膜ウエハが平行になる。また、洗浄液を薄膜ウエハに対して吹き付けることにより、洗浄効果の向上も期待できる。
【００４１】
このため、通常のウエハを収容するウエハキャリアに通常より薄い薄膜ウエハを収容した場合でも、ウエハキャリア内でのウエハの配置間隔を広げる必要がなく、また、ウエハキャリアを洗浄槽内で傾けて配置する必要がない。
【００４２】
このように、ウエハキャリア内でのウエハの配置間隔を広げる必要がないことから、ウエハキャリアにウエハを収容する処理を手動補助する必要がなく、洗浄処理を清浄でしかも作業効率の高いものとできる。
【００４３】
また、ウエハキャリアを洗浄槽内で傾けて配置する必要がないことから、洗浄槽内には、ウエハキャリアを水平配置することができ、ウエハキャリアを傾けて配置することにともなう洗浄槽に溜める洗浄液の量が増え、半導体装置の製造コストの増大などにつながるといった問題も生じることがない。
【００４４】
また、本発明では、複数のウエハの各々で、複数の洗浄液噴出し孔からの洗浄液の液流が２以上の箇所に吹き付けられるように、洗浄液噴出し孔が配列されているので、薄膜ウエハが洗浄液の液流から一箇所に圧力を受けてねじれたりする方向にモーメントが発生するのを回避できる。
【００４５】
また、本発明では、整流板では、ウエハキャリア内に収容した複数のウエハの各々に対して、少なくとも１列の洗浄液噴出し孔から噴出された洗浄液の液流が吹き付けられるように、複数の洗浄液噴出し孔が、複数のウエハの配列に合わせて配置されており、各列の洗浄液噴出し孔の個数は同一であるので、個々の薄膜ウエハに確実にかつ均等に洗浄液の液流を吹き付けることができ、効果的に薄膜ウエハの傾きを揃えることができる。
【発明の効果】
【００４６】
以上のように、本発明によれば、通常のウエハを収容するウエハキャリアに通常より薄い薄膜ウエハを収容した場合でも、ウエハの洗浄処理中にウエハ同士が接触するのを回避でき、しかも、ウエハキャリア内でのウエハの配置間隔を広げたり、ウエハキャリアを洗浄槽内で傾けて配置したりする必要のない洗浄装置および洗浄方法を実現することができる。
【図面の簡単な説明】
【００４７】
【図１】図１は、本発明の実施形態１による洗浄装置を説明する図であり、図１（ａ）および図１（ｂ）はそれぞれこの洗浄装置の断面構造として、この洗浄装置内に配置した半導体ウエハの表面に対して実質的に垂直な断面および平行な断面の構造を示している。
【図２】図２は、本発明の実施形態１による洗浄装置の構造を、この洗浄装置内にウエハキャリアを配置していない状態で説明する図であり、図２（ａ）および図２（ｂ）はそれぞれ、この洗浄装置の断面構造として、この洗浄装置内に配置した半導体ウエハの表面に対して実質的に垂直な断面および平行な断面の構造を示している。
【図３】図３は、本発明の実施形態１による洗浄装置を説明する図であり、この洗浄装置に設けられている洗浄液の整流板をその表面側から見た一部破断斜視図（図３（ａ））、およびこの整流板をその裏面側から見た斜視図（図３（ｂ））である。
【図４】図４は、本発明の実施形態１による洗浄装置で用いるウエハキャリアの構造を、該ウエハキャリアに半導体ウエハを配置していない状態で示す図であり、図４（ａ）は、半導体ウエハの配列方向に平行な縦断面の構造を示し、図４（ｂ）は、ウエハ配列方向に平行な縦断面の構造を示している。
【図５】図５は、本発明の実施形態１による洗浄装置で用いるウエハキャリアの構造を、該ウエハキャリアに半導体ウエハを配置した状態で示す図であり、図５（ａ）は、半導体ウエハの配列方向に平行な縦断面の構造を示し、図５（ｂ）は、ウエハ配列方向に平行な縦断面の構造を示している。
【図６】図６は、本発明の実施形態１による洗浄装置で半導体ウエハの洗浄を行う手順を説明する平面図であり、半導体ウエハを収容する前のウエハキャリア（図６（ａ））、半導体ウエハを収容した状態のウエハキャリア（図６（ｂ））、ウエハキャリアを配置する前の洗浄装置（図６（ｃ））、およびウエハキャリアを配置した状態の洗浄装置（図６（ｄ））を示している。
【図７】図７は、本発明の実施形態１による洗浄装置の動作を説明する図であり、図７（ａ）は、この洗浄装置内にウエハキャリアを配置して洗浄液を洗浄槽に供給している状態を示し、図７（ｂ）は、図７（ａ）に示す状態で、半導体ウエハが一定の方向に傾くメカニズムを示している。
【図８】図８は、本発明の実施形態２による洗浄装置を説明する図であり、この洗浄装置で用いる整流板をその表面側から見た一部破断斜視図である。
【図９】図９は、従来の洗浄装置を説明する図であり、図９（ａ）および図９（ｂ）はそれぞれこの洗浄装置の断面構造として、この洗浄装置内に配置した半導体ウエハの表面に対して実質的に垂直な断面および平行な断面の構造を示している。
【図１０】図１０は、従来の洗浄装置で用いるウエハキャリアに通常の半導体ウエハより薄い薄膜ウエハを収容した状態を示している。
【図１１】図１１は、従来の洗浄装置の課題を説明する図であり、図１１（ａ）は、ウエハキャリアに薄膜ウエハを収容して洗浄を行っている状態を示し、図１１（ｂ）は、ウエハキャリアに薄膜ウエハを間隔を空けて収容して洗浄を行っている状態を示している。
【図１２】図１２は、特許文献１に開示の洗浄装置を説明する図である。
【発明を実施するための形態】
【００４８】
以下、本発明の実施形態について図面を参照しながら説明する。
【００４９】
（実施形態１）
図１は、本発明の実施形態１による洗浄装置を説明する図であり、図１（ａ）および図１（ｂ）はそれぞれこの洗浄装置の断面構造として、この洗浄装置内に配置した半導体ウエハの表面に対して実質的に垂直な断面および平行な断面の構造を示している。
【００５０】
この実施形態１の洗浄装置１００は、ウエハの洗浄処理を行う洗浄装置本体１００ａと、この洗浄装置本体１００ａ内に配置され、複数のウエハを所定の間隔を空けて立てた状態で収容するウエハキャリア１２０とを有している。ここでは、ウエハキャリア１２０は通常の厚さを有するウエハＷａ（図９参照）を収容するように設計されたものであり、この実施形態の洗浄装置１００は、このウエハキャリア１２０を、通常のウエハより薄い薄膜ウエハ（以下、単にウエハともいう。）Ｗを収容するウエハキャリアとして用いることができるように、従来の洗浄装置における整流板３１０に代わる洗浄液の整流板１１０を備えたものである。
【００５１】
まず、洗浄装置本体１００ａについて説明する。
【００５２】
図２は、本発明の実施形態１による洗浄装置の構造を、この洗浄装置内にウエハキャリアを配置していない状態で示す図であり、図２（ａ）および図２（ｂ）はそれぞれこの洗浄装置の断面構造として、この洗浄装置内に配置した半導体ウエハの表面に対して実質的に垂直な断面および平行な断面の構造を示している。
【００５３】
洗浄装置本体１００ａは、洗浄液Ｌを溜める洗浄槽１０２と、この洗浄槽１０２の底面１０２ａ上に配置され、洗浄液を均等にウエハキャリア１２０内へ供給するための整流板１１０と、この洗浄槽１０２の下側に洗浄槽１０２の下端部を囲むように配置され、洗浄槽１０２の上部開口から溢れた洗浄液を回収する洗浄液回収部材１０１とを有している。
【００５４】
図３は、本発明の実施形態１による洗浄装置における整流板を説明する図であり、この整流板をその表面側から見た一部破断斜視図（図３（ａ））、およびこの整流板をその裏面側から見た斜視図（図３（ｂ））である。
【００５５】
この整流板１１０は、断面円形形状の複数の貫通孔が洗浄液噴出し孔１１２として形成された整流板上部１１０ａと、この整流板上部１１０ａの各洗浄液噴出し孔１１２に連通した洗浄液の収容スペース１１１を形成する整流板下部１１０ｂとから構成されており、整流板下部１０１ｂには、洗浄液の供給配管１０３が取り付けられている。
【００５６】
ここで、整流板上部１１０ａと整流板下部１１０ｂとは一体構造のものを示しているが、これらは別部材の部品として形成して組み合わせたものであってもよい。また、洗浄液噴出し孔から洗浄液を噴出す角度θは、洗浄槽１０２内でＸ方向に配置されたウエハ表面に対する法線を含む鉛直面内で鉛直方向（Ｙ方向）に対して５°〜４５°の範囲内の角度としている（図７（ｂ）参照）。例えば、洗浄液噴出し孔１１２から噴出した洗浄液を薄膜ウエハＷに吹き付ける角度が浅すぎると、薄膜ウエハの傾きを揃えるのに十分な回転モーメントが発生せず、一方、洗浄液噴出し孔１１２から噴出した洗浄液を薄膜ウエハＷに吹き付ける角度が厚すぎる（つまり垂直に近い角度）とすると、薄膜ウエハが洗浄液の液流から強い圧力を受け、ウエハキャリア内で振動したり、キャリア溝から外れたりするおそれがあり、また洗浄液を洗浄槽内で循環させたり供給したりする洗浄液供給圧が高まり、洗浄液の循環などの設備の改善（洗浄液供給用のポンプの能力アップ）が必要となるおそれがある。また、洗浄液噴出し孔１１２は、整流板１１０の上部１１０ａを構成する上面壁に斜めに形成した断面円形の貫通孔であり、１ｍｍ〜３ｍｍの範囲の直径を有し、ウエハ毎に一列に配列され、各ウエハでは２箇所以上で洗浄液が吹き付けられるようになっている。洗浄液噴出し孔の直径は、小さすぎると、洗浄液の供給圧が増大することとなり、洗浄液の循環や供給に用いるポンプの出力を増大させる必要があり、逆に、洗浄液噴出し孔の直径は、小さすぎると、洗浄液噴出し孔から噴出す洗浄液の流速が不十分となり、全ての薄膜ウエハの傾きを揃えることができない恐れがある。また、ここでは、洗浄液噴出し孔１１２の配置間隔（ウエハ表面に平行な方向の配置間隔）は１０ｍｍ程度としているが、その２倍以上であっても、あるいはその半分程度であってもよい。また、ウエハの配列方向に平行な方向の洗浄液噴出し孔１１２の配置間隔は、ウエハキャリアに収容可能なウエハの数と、ウエハの配置間隔とによって決まるが、ウエハ表面に平行な方向の洗浄液噴出し孔１１２の配置間隔と実質的に同じ程度となっている。但し、洗浄液噴出し孔１１２の配置はこの実施形態１のものに限定されるものではない。
【００５７】
次に、ウエハキャリアについて説明する。
【００５８】
図４は、本発明の実施形態１による洗浄装置で用いるウエハキャリアの構造を、該ウエハキャリアに半導体ウエハを配置していない状態で示す図であり、図４（ａ）は、半導体ウエハの配列方向に平行な縦断面の構造を示し、図４（ｂ）は、ウエハ配列方向に垂直な縦断面の構造を示している。
【００５９】
ウエハキャリア１２０は、図９に示す従来の洗浄装置３００におけるものと同一である。
【００６０】
つまり、ウエハキャリア１２０は外形四角形形状の箱体であり、その上面および下面が開口した構造となっている。このウエハキャリア１２０の、ウエハ配列方向と平行な相対向する一対の側壁１２２は、それぞれの下端部１２２ｂでは離間距離がウエハＷの幅（直径）より狭くなるように内側に傾斜した構造となっており、これらの側壁１２２の下端部１２２ｂにウエハの下部外周端が２点で当接するようになっている。
【００６１】
また、一対の側壁１２２の下端部１２２ｂ以外の側面部１２２ａは、平行に配置されており、ウエハキャリア１２０の、ウエハ配列方向と垂直な相対向する一対の側壁１２１は平板状の構造となっている。
【００６２】
また、この側壁１２２の側面部１２２ａから下端部１２２ｂに跨って、隣接するウエハを保持するキャリア溝を形成する線状突部（リブ部）１２３が、通常のウエハ厚さに合わせた間隔で、ウエハの配列方向に沿って複数形成されている。
【００６３】
そして、ウエハ配列方向と垂直な相対向する一対の側壁１２１と、ウエハ配列方向と平行な相対向する一対の一対の側壁１２２とにより囲まれた領域がウエハ収容領域となっており、ウエハ収容領域の上端側には上部開口が形成され、ウエハ収容領域の下端側には下部開口１２４が形成されている。
【００６４】
さらに、ここでは、各ウエハの表面に沿って並ぶ洗浄液噴出し孔１１２の個数は、ウエハ毎に、言い換えると、隣接する線状突起（リブ部）１２３により形成されるキャリア溝毎に同程度な数としている。ただし、キャリア溝毎に設ける洗浄液噴出し孔１１２の個数は、異なっていてもよく、例えば、キャリア溝に沿って配列される洗浄液噴出し孔１１２は、洗浄液の供給配管１０３の位置などを考慮して、洗浄液噴出し孔の個数がウエハキャリア１２０の中央部分より両側端部分で多くなるように配置してもよい。
【００６５】
図５は、本発明の実施形態１による洗浄装置で用いるウエハキャリアの構造を、該ウエハキャリアに半導体ウエハを配置した状態で示す図であり、図５（ａ）は、半導体ウエハの配列方向に平行な縦断面の構造を示し、図５（ｂ）は、ウエハ配列方向に平行な縦断面の構造を示している。
【００６６】
このような構造のウエハキャリア１２０では、図５（ａ）および（ｂ）に示すように、ウエハＷをウエハキャリア１２０内のウエハ収容領域に、ウエハＷが隣接するリブ部１２３により形成されるキャリア溝に保持されるよう収容したとき、ウエハＷの下部外周端が、ウエハキャリア１２０の側壁１２２の下端部１２２ｂと２点で当接して支持されることとなる。なお、図７（ｂ）には、この当接位置Ｓｐが示されている。
【００６７】
そして、この実施形態１では、図１に示すように、上述した構造の洗浄装置本体１００ａの洗浄槽１０２内に、薄膜ウエハＷを収容したウエハキャリア１２０を、整流板１１０上に位置するように配置し、その後、洗浄槽１０２が洗浄液で満たされ、しかも洗浄液の流れができるよう洗浄液を供給配管１０３から洗浄槽１０２内に供給することにより、ウエハキャリアに収容されたウエハＷは洗浄液Ｌにより洗浄されることとなる。なお、洗浄槽１０２から溢れた洗浄液は、洗浄液回収部材１０１により回収して循環させるか、あるいは破棄する。
【００６８】
次に洗浄装置１００を用いてウエハを洗浄する手順について説明する。
【００６９】
図６（ａ）〜図６（ｄ）は、本発明の実施形態１による洗浄装置で半導体ウエハの洗浄を行う手順を説明する平面図である。
【００７０】
まず、図６（ａ）に示すように、ウエハＷを収容していない空のウエハキャリア１２０（図４（ａ）および図４（ｂ））を準備し、図６（ｂ）に示すように、このウエハキャリア１２０内にウエハＷを自動で、つまりウエハをウエハキャリア内に充填する装置を用いて収容する（図５（ａ）および図５（ｂ））。このとき、ウエハＷは、ウエハキャリア１２０内の、隣接する線状突部（リブ部）１２３により形成される各キャリア溝内に挿入されて保持されることとなる。ここでウエハＷは、通常のウエハの厚さ（６２５μｍ）に比べて薄い、厚さが４００μｍ以下の薄膜ウエハである。
【００７１】
次に、このように薄膜ウエハＷを収容したウエハキャリア１２０を、ウエハキャリア１２０が配置されていない洗浄装置本体１００ａ（図６（ｃ）、図２（ａ）および図２（ｂ））まで移動させる。なお、図６（ｃ）では、洗浄液回収部材１０１は省略している。続いて、図６（ｄ）に示すように、このウエハキャリア１２０を、この洗浄装置本体１００ａの、予め洗浄液で満たした洗浄槽１０１内にその整流板１１０上に位置するように配置する（図１（ａ）および図１（ｂ）参照）。このとき、洗浄槽１０２には洗浄液が溜まっておらず、ウエハキャリア１２０を配置した後、洗浄槽１０２を洗浄液で満たすようにしてもよい。また、ここでは、洗浄槽１０２には、１つのウエハキャリアのみ配置するスペースを有するものを示しているが、洗浄槽１０２は、２つ以上のウエハキャリアを配置可能なスペースを有するものであってもよい。
【００７２】
その後、洗浄装置本体１００ａの洗浄槽１０２内に洗浄液をその供給配管１０３から供給することにより、洗浄槽１０２内の洗浄液Ｌが循環あるいは入れ替わり、これによりウエハキャリア１２０に収容されたウエハＷは洗浄液Ｌにより洗浄されることとなる。
【００７３】
図７は、本発明の実施形態１による洗浄装置の動作を説明する図であり、図７（ａ）は、この洗浄装置内にウエハキャリアを配置して洗浄液を洗浄槽に供給している状態を示し、図７（ｂ）は、図７（ａ）に示す状態で、ウエハが一定の方向に傾くメカニズムを示している。
【００７４】
つまり、洗浄装置本体１００ａの洗浄槽１０２内に洗浄液Ｌをその供給配管１０３から供給することにより、ウエハキャリア１２０内にキャリア溝内に保持されている薄膜ウエハＷは、その下端部に整流板１１０の洗浄液噴出し孔１１２から噴出された洗浄液の液流Ｌｆが吹き付けられることとなる。これにより薄膜ウエハＷには、その外周下端部の、側壁１２２の下端部１２２ｂと当接する当接点Ｓｐの周りに回転モーメントが発生し、これにより薄膜ウエハＷは、図７（ａ）、（ｂ）の紙面では右回転する。これにより薄膜ウエハＷはすべて、ウエハキャリア１２０内で側に傾斜した状態となり、全ての薄膜ウエハＷの傾斜方向が揃うこととなり、ウエハの洗浄中に、隣接する薄膜ウエハＷが接触するのを回避できる。
【００７５】
このように本実施形態１の洗浄装置では、ウエハキャリア１２０と、洗浄液の洗浄槽１０２を含む洗浄装置本体１００ａとを備え、ウエハキャリア１２０を複数のウエハＷとともに洗浄槽１０２の洗浄液Ｌに浸漬した状態でウエハＷを洗浄する洗浄装置１００において、洗浄槽１０２の底部に配置された整流板１１０を、ウエハキャリア１２０内に収容した複数のウエハＷが全て、洗浄液Ｌの液面に対して同じ方向に傾くように、洗浄液をウエハの表面に吹き付ける複数の洗浄液噴出し孔１１２を有する構造としたので、ウエハＷの洗浄中は、洗浄液をその供給配管１０３から整流板１１０に供給することにより、ウエハキャリア１２０内のキャリア溝内に保持されている薄膜ウエハＷは、その下端部に整流板１１０の洗浄液噴出し孔１１２から噴出された洗浄液の液流Ｌｆが吹き付けられることとなる。
【００７６】
これにより薄膜ウエハＷには、その外周下端部の、側壁１２２の下端部１２２ｂと当接する当接点Ｓｐの周りに回転モーメントが発生し、これにより薄膜ウエハＷはすべて、自動的にウエハキャリア１２０内で側に傾斜した状態となり、全ての薄膜ウエハＷの傾斜方向が揃うこととなる。
【００７７】
従って、通常のウエハを収容するウエハキャリア１２０に通常より薄い薄膜ウエハＷを収容した場合でも、ウエハキャリア１２０内でのウエハの配置間隔を広げる必要がなく、また、ウエハキャリア１２０を洗浄槽１０２内で傾けて配置する必要がない。
【００７８】
このように、ウエハキャリア内でのウエハの配置間隔を広げる必要がないことから、ウエハキャリアにウエハを収容する処理を手動補助する必要がなく、洗浄処理を清浄でしかも作業性の効率の高いものとできる。
【００７９】
また、ウエハキャリア１２０を洗浄槽１０２内で傾けて配置する必要がないことから、洗浄槽１０２内には、ウエハキャリア１２０を水平配置することができ、ウエハキャリア１２０を傾けて配置することに伴う洗浄槽１０２に溜める洗浄液Ｌの量が増え、半導体装置の製造コストの増大などにつながるといった問題も生じることがない。
【００８０】
また、本実施形態では、複数のウエハＷの各々で、複数の洗浄液噴出し孔１１２からの洗浄液の液流が２以上の箇所に吹き付けられるように、洗浄液噴出し孔１１２が配列されているので、ウエハが洗浄液の液流から一箇所に圧力を受けてねじれたりする方向にモーメントが発生するのを回避できる。
【００８１】
また、洗浄液噴出し孔１１２から洗浄液を薄膜ウエハＷに対して斜めに噴出すことにより、薄膜ウエハＷに対する洗浄液の圧力が高まり、洗浄効果の向上も期待できる。
【００８２】
さらに、本実施形態１では、整流板１１０では、ウエハキャリア１２０内に収容した複数のウエハＷの各々に対して、１列の洗浄液噴出し孔１１２から噴出された洗浄液の液流Ｌｆが吹き付けられるように、複数の洗浄液噴出し孔１１２が、複数のウエハの配列に合わせて配置されており、各列の洗浄液噴出し孔の個数は同一であるので、個々の薄膜ウエハに確実にかつ均等に洗浄液の液流を当てることができ、効果的に薄膜ウエハの傾きを揃えることができる。
【００８３】
なお、本実施形態１では、ウエハキャリア１２０内に収容した複数のウエハＷの各々に対して、整流板１１０におけるウエハ表面に平行な１列の洗浄液噴出し孔１１２から噴出された洗浄液の液流Ｌｆが吹き付けられるようにしているが、各ウエハＷに対して、整流板１１０におけるウエハ表面に平行な２列以上の洗浄液噴出し孔１１２から噴出された洗浄液の液流Ｌｆが吹き付けられるようにしてもよい。
【００８４】
さらに、本実施形態１では、洗浄液噴出し孔１１２は、整流板１１０を構成する上面壁に斜めに形成した断面円形の貫通孔としているが、この貫通孔の断面形状はこれに限定されるものではない。
（実施形態２）
図８は、本発明の実施形態２による洗浄装置を説明する図であり、この洗浄装置で用いる整流板をその表面側から見た一部破断斜視図である。
【００８５】
この実施形態２による洗浄装置は、実施形態１の洗浄装置１００における整流板１１０に代わる整流板２２０を備えたものであり、その他の構成は、実施形態１による洗浄装置１００におけるものと同一である。
【００８６】
つまり、この実施形態２の洗浄装置の整流板２００は、スリット状の複数の貫通孔が洗浄液噴出し孔２１２として形成された整流板上部２１０ａと、この整流板上部２１０ａの各洗浄液噴出し孔２１２に連通した洗浄液の収容スペース２１１を形成する整流板下部２１０ｂとから構成されており、整流板下部２１０ｂには、洗浄液の供給配管２０３が取り付けられている。
【００８７】
ここで、洗浄液噴出し孔２１２を構成するスリット状の貫通孔２１２は、複数のウエハＷの各々毎に配置され、ウエハの表面に沿った方向に延びている。また、洗浄液噴出し孔２１２から洗浄液を噴出す角度は、実施形態１と同様に洗浄槽１０２内に配置されたウエハ表面に対する法線を含む鉛直面内で鉛直方向に対して５°〜４５°の範囲内の角度としている。また、洗浄液噴出し孔２１２のスリット幅は、１ｍｍ〜３ｍｍの範囲とし、洗浄液噴出し孔２１２のウエハ配列方向における配置間隔はウエハの配置間隔に応じた間隔となっている。
【００８８】
このような構成の本実施形態２では、実施形態１の洗浄装置と同様に、ウエハキャリア１２０と、洗浄液の洗浄槽１０２を含む洗浄装置本体１００ａとを備え、該ウエハキャリアを該複数のウエハとともに該洗浄槽の洗浄液に浸漬した状態で該ウエハを洗浄する洗浄装置１００において、洗浄槽１０２の底部に配置された整流板２１０を、ウエハキャリア内に収容した複数のウエハが全て、該洗浄液の液面に対して同じ方向に傾くように、該洗浄液を該ウエハの表面に吹き付ける複数のスリット状の洗浄液噴出し孔２１１２を有する構造としたので、通常のウエハを収容するウエハキャリアに通常より薄い薄膜ウエハを収容した場合でも、ウエハの洗浄処理中にウエハ同士が接触するのを回避でき、しかも、ウエハキャリア内でのウエハの配置間隔を広げたり、ウエハキャリアを洗浄槽内で傾けて配置したりする必要のない洗浄装置を実現することができる。
【００８９】
なお、本実施形態２では、整流板２２０を、ウエハキャリア内に収容した複数のウエハＷの各々に対して１つの洗浄液噴出し孔２１２が対向する構成としているが、各ウエハに２以上の洗浄液噴出し孔２１２が対向し、各ウエハに２以上の洗浄液噴出し孔２１２から噴出された洗浄液の液流が吹き付けられるようにしてもよい。
【００９０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９１】
本発明は、洗浄装置および洗浄方法の分野において、通常のウエハを収容するウエハキャリアに通常より薄い薄膜ウエハを収容した場合でも、ウエハの洗浄処理中にウエハ同士が接触するのを回避でき、しかも、ウエハキャリア内でのウエハの配置間隔を広げたり、ウエハキャリアを洗浄槽内で傾けて配置したりする必要のない洗浄装置および洗浄方法を実現することができる。
【符号の説明】
【００９２】
１００  洗浄装置
１００ａ  洗浄装置本体
１０１  洗浄液回収部材
１０２  洗浄槽
１０２ａ  底面
１０３  供給配管
１１０、２２０  整流板
１１０ａ、２１０ａ  整流板上部
１１０ｂ、２１０ｂ  整流板下部
１１１、２１１  収容スペース
１１２、２１２  洗浄液噴出し孔
１２０  ウエハキャリア
１２１、１２２  側壁
１２２ｂ  下端部
１２２ａ  側面部
１２３  線状突部（リブ部）
１２４  下部開口
Ｌ  洗浄液
Ｌｆ  液流
Ｗ  薄膜ウエハ
【図１】
2014017369.tif 000003
【図２】
2014017369.tif 000004
【図３】
2014017369.tif 000005
【図４】
2014017369.tif 000006
【図５】
2014017369.tif 000007
【図６】
2014017369.tif 000008
【図８】
2014017369.tif 000009
【図９】
2014017369.tif 000010
【図１０】
2014017369.tif 000011
【図１２】
2014017369.tif 000012
【図７】
2014017369.tif 000013
【図１１】
2014017369.tif 000014